(57)【特許請求の範囲】
【請求項１】
天然ウランおよび劣化ウランのうちの少なくとも何れかを含むブランケット燃料が装填された長尺状の複数の第１の燃料棒と、少なくともプルトニウムを含む核燃料物質が装填された長尺状の複数の第２の燃料棒とを三角格子状に束ねて配置することにより構成した高速増殖炉用燃料集合体において、
少なくとも最外周層には全て前記第１の燃料棒を配置し、前記第１の燃料棒の外径を、前記第２の燃料棒の外径と同径か、もしくはそれよりも太径とし、前記第１の燃料棒には、片方の端部側に更に中性子吸収材を装填し、前記各燃料棒の長尺方向がほぼ鉛直方向となり、かつ前記中性子吸収材が装填された端部側が下部側になるように炉心に装荷し、
前記複数の第２の燃料棒のそれぞれは、前記核燃料物質が装填された燃料領域の両側に、前記ブランケット燃料が装填されたブランケット領域を、前記両ブランケット領域の端部側に、前記核燃料物質の核分裂により発生するＦＰガスを蓄積するプレナム領域を備えた第３の燃料棒と、前記第３の燃料棒のブランケット領域をプレナム領域とし、片方の端部側に更に中性子吸収材を装填した第４の燃料棒とのうちのいずれか一方に属し、
前記各燃料棒の長尺方向がほぼ鉛直方向となり、かつ前記第４の燃料棒の前記中性子吸収材が装填された端部側が下部側になるように炉心に装荷するようにした高速増殖炉用燃料集合体。
【請求項２】
請求項１に記載の高速増殖炉用燃料集合体において、
前記第３の燃料棒の燃料領域に装填された核燃料物質が溶融した場合には、この溶融した核燃料物質が、その両側に備えられたブランケット領域によって、該燃料領域内に保持されるようにし、
前記第４の燃料棒の燃料領域に装填された核燃料物質が溶融した場合には、この溶融した核燃料物質が、炉心装荷時に前記燃料領域の下部側にあるプレナム領域を落下して前記下部側へ達するようにした高速増殖炉用燃料集合体。
【請求項３】
請求項１又は請求項２に記載の高速増殖炉用燃料集合体において、
前記第３の燃料棒のプレナム領域と、前記第４の燃料棒のプレナム領域との体積をほぼ同じとした高速増殖炉用燃料集合体。
【発明の詳細な説明】
【０００１】
【発明の属する技術分野】
本発明は、高速増殖炉の炉心に装荷される高速増殖炉用燃料集合体に関するものである。
【０００２】
【従来の技術】
従来、高速増殖炉の炉心に装荷される高速増殖炉用燃料集合体２０では、図７に示すように、燃料ペレット２２を封入した数百本の燃料棒２３を三角格子状に束ねて配置したものが、六角形状のステンレス鋼の外筒であるラッパー管２４で覆われている。
【０００３】
ステンレスは中性子を吸収する物質である。したがって、中性子利用率を高め、炉心の性能を向上させるために、図８に示すように、ラッパー管２４を削除した高速増殖炉用燃料集合体２６の概念も考えられている。
【０００４】
このようなラッパー管２４を削除した高速増殖炉用燃料集合体２６では、三角格子状に束ねられた燃料棒２３が、グリッドスペーサ２７で保持されている。
【０００５】
【発明が解決しようとする課題】
しかしながら、このようなラッパー管を削除した高速増殖炉用燃料集合体２６では、以下のような問題がある。
【０００６】
すなわち、図８に示すようなラッパー管を削除した高速増殖炉用燃料集合体２６が高速増殖炉の炉心に装荷された場合には、隣接する高速増殖炉用燃料集合体２６との間の障壁が無くなる。
【０００７】
このため、仮に万が一、燃料ペレット２２が溶融するような事象が発生した場合、隣接する高速増殖炉用燃料集合体２６同士で、燃料ペレット２２が溶融した領域が連結し、広い溶融燃料領域を形成し、核燃料物質が再臨界に至る可能性が懸念されている。
【０００８】
本発明はこのような事情に鑑みてなされたものであり、仮に万が一、燃料ペレットが溶融するような事象が発生した場合であっても、燃料ペレットが溶融した領域が連結することを阻止し、もって、溶融した核燃料物質による再臨界が生じない高速増殖炉用燃料集合体を提供することを目的とする。
【０００９】
【課題を解決するための手段】
上記の目的を達成するために、本発明では、以下のような手段を講じる。
【００１０】
すなわち、請求項１の発明は、天然ウランおよび劣化ウランのうちの少なくとも何れかを含むブランケット燃料が装填された長尺状の複数の第１の燃料棒と、少なくともプルトニウムを含む核燃料物質が装填された長尺状の複数の第２の燃料棒とを三角格子状に束ねて配置することにより構成した高速増殖炉用燃料集合体において、少なくとも最外周層には全て第１の燃料棒を配置し、第１の燃料棒の外径を、第２の燃料棒の外径と同径か、もしくはそれよりも太径とし、第１の燃料棒には、片方の端部側に更に中性子吸収材を装填し、各燃料棒の長尺方向がほぼ鉛直方向となり、かつ中性子吸収材が装填された端部側が下部側になるように炉心に装荷する。そして、複数の第２の燃料棒のそれぞれは、核燃料物質が装填された燃料領域の両側に、ブランケット燃料が装填されたブランケット領域を、両ブランケット領域の端部側に、核燃料物質の核分裂により発生するＦＰガスを蓄積するプレナム領域を備えた第３の燃料棒と、第３の燃料棒のブランケット領域をプレナム領域とし、片方の端部側に更に中性子吸収材を装填した第４の燃料棒とのうちのいずれか一方に属し、各燃料棒の長尺方向がほぼ鉛直方向となり、かつ第４の燃料棒の中性子吸収材が装填された端部側が下部側になるように炉心に装荷する。
【００１１】
請求項２の発明は、請求項１に記載の高速増殖炉用燃料集合体において、第３の燃料棒の燃料領域に装填された核燃料物質が溶融した場合には、この溶融した核燃料物質が、その両側に備えられたブランケット領域によって、該燃料領域内に保持されるようにし、第４の燃料棒の燃料領域に装填された核燃料物質が溶融した場合には、この溶融した核燃料物質が、炉心装荷時に燃料領域の下部側にあるプレナム領域を落下して下部側へ達するようにする。
【００１２】
請求項３の発明では、請求項１又は請求項２に記載の高速増殖炉用燃料集合体において、第３の燃料棒のプレナム領域と、第４の燃料棒のプレナム領域との体積をほぼ同じとする。
【００１７】
【発明の実施の形態】
以下に、本発明の各実施の形態について図面を参照しながら説明する。
【００１８】
なお、以下の各実施の形態の説明に用いる図中の符号は、図７および図８と同一部分については同一符号を付して示すことにする。
【００１９】
（第１の実施の形態）
本発明の第１の実施の形態を図１から図４を用いて説明する。
【００２０】
図１は、第１の実施の形態に係る高速増殖炉用燃料集合体の燃料棒配置例を示す１／２斜視断面図である。
【００２１】
また、図２は、第１の実施の形態に係る高速増殖炉用燃料集合体の各燃料棒の長尺方向における構成例を示す概念図である。
【００２２】
すなわち、本実施の形態に係る高速増殖炉用燃料集合体１は、図８に示すように、三角格子状に束ねられた燃料棒２３が、グリッドスペーサ２７で保持された、断面正六角形状構成としている。
【００２３】
そして、図１に示すように、正六角形状の断面の各頂点位置に相当する場所には燃料棒２３の代わりに、グリッドスペーサ２７に溶接等によって固定されたタイロッド２を配置している。
【００２４】
燃料棒２３は、ブランケット燃料棒３と、タイプ１炉心燃料棒４（＃１）と、タイプ２炉心燃料棒４（＃２）との３種類の燃料棒からなる。これら燃料棒はいずれも、図２に示すように、その上端部を上部端栓ＴＳで、またその下端部を下部端栓ＢＳでそれぞれ栓している。また、各燃料棒の外径は、タイプ１炉心燃料棒４（＃１）とタイプ２炉心燃料棒４（＃２）については同径であるが、ブランケット燃料棒３については、タイプ１炉心燃料棒４（＃１）およびタイプ２炉心燃料棒４（＃２）と同径か、もしくはそれよりも太径としている。
【００２５】
ブランケット燃料棒３とは、天然ウランからなるブランケット燃料を装填した燃料棒であって、図２（ａ）にその一例を示すような軸方向の構成をしている。
【００２６】
すなわち、ブランケット燃料棒３は、その軸方向の中央部に、ブランケット燃料からなる燃料ペレット２２が装填された領域であるブランケット燃料領域Ｎを備えている。このブランケット燃料領域Ｎの下端部は、かしめＤまたは中央に貫通孔を有する中間端栓によって位置決めするとともに、このかしめＤまたは中央に貫通孔を有する中間端栓によって燃料ペレット２２が落下しないようにしている一方、万が一、燃料ペレット２２が溶融した場合には、燃料ペレット２２がブランケット燃料領域Ｎから下部プレナム領域ＬＰおよび中性子吸収材領域Ａ側へと落下しやすくなるようにしている。
【００２７】
ブランケット燃料領域Ｎの上下側にはそれぞれ、ブランケット燃料の核分裂によって発生するＸｅやＫｒなどのＦＰガスを吸収し、ブランケット燃料棒３の内圧上昇を緩和するプレナム領域である上部プレナム領域ＵＰと、下部プレナム領域ＬＰとを備えている。
【００２８】
上部プレナム領域ＵＰには、ブランケット燃料領域Ｎに装填された燃料ペレット２２を上部側から下部側へと押さえつけるプレナムスプリングＳＰを配置している。更に、下部プレナム領域ＬＰの下部には、炭化硼素（Ｂ４Ｃ）など中性子を良く吸収する物質である中性子吸収材が装填された領域である中性子吸収材領域Ａを配置している。なお、ブランケット燃料領域Ｎに装荷するブランケット燃料には、天然ウランのみならず、劣化ウランからなる燃料ペレット２２を装填しても良い。
【００２９】
タイプ１炉心燃料棒４（＃１）とは、少なくともプルトニウムを含む核燃料物質を装填した燃料棒であって、図２（ｂ）にその一例を示すような軸方向の構成をしている。
【００３０】
すなわち、タイプ１炉心燃料棒４（＃１）は、その軸方向の中央部に、少なくともプルトニウムを含む核燃料物質からなる燃料ペレット２２が装填された領域である炉心燃料領域Ｆを備えている。この核燃料物質には、例えば核分裂性のウランおよびプルトニウムが約２０重量％程度含まれた混合酸化物を用いる。この炉心燃料領域Ｆの下端部もまた、かしめＤまたは中央に貫通孔を有する中間端栓によって位置決めするとともに、このかしめＤまたは中央に貫通孔を有する中間端栓によって燃料ペレット２２が落下しないようにしている。
【００３１】
炉心燃料領域Ｆの上下側には、それぞれ前述したようなブランケット燃料領域Ｎを配置している。このように炉心燃料領域Ｆの上部側に配置されたブランケット燃料領域Ｎの上端部高さは、図２（ａ）に示すようにブランケット燃料棒３のブランケット燃料領域Ｎの上端部高さと等しくしている。また、炉心燃料領域Ｆの下部側に配置されたブランケット燃料領域Ｎの下端部高さは、図２（ａ）に示すようにブランケット燃料棒３のブランケット燃料領域Ｎの下端部高さと等しくしている。
【００３２】
更に、両ブランケット燃料領域Ｎの上部側および下部側には、炉心燃料領域Ｆに装填された核燃料、および両ブランケット燃料領域Ｎに装填されたブランケット燃料の核分裂によって発生するＸｅやＫｒなどのＦＰガスを吸収し、タイプ１炉心燃料棒４（＃１）の内圧上昇を緩和するプレナム領域である上部プレナム領域ＵＰおよび下部プレナム領域ＬＰを備えている。
【００３３】
またブランケット燃料棒３の場合と同様に、上部プレナム領域ＵＰには、燃料ペレット２２を上部側から下部側へと押さえつけるプレナムスプリングＳＰを配置している。
【００３４】
タイプ１炉心燃料棒４（＃１）には、ブランケット燃料棒３よりも、多くの核分裂性物質が含まれており、多くのＦＰガスが発生することから、その下部プレナム領域ＬＰの体積を、ブランケット燃料棒３の下部プレナム領域ＬＰの体積よりも大きくしている。
【００３５】
タイプ２炉心燃料棒４（＃２）は、図２（ｃ）にその軸方向の構成例を示すように、タイプ１炉心燃料棒４（＃１）から両ブランケット燃料領域Ｎを省略した構成としている。そして、炉心燃料領域Ｆの下端部をかしめＤまたは中央に貫通孔を有する中間端栓によって位置決めするとともに、このかしめＤまたは中央に貫通孔を有する中間端栓によって燃料ペレット２２が落下しないようにしている。
【００３６】
そして、万が一、燃料ペレット２２が溶融した場合には、燃料ペレット２２が炉心燃料領域Ｆから下部プレナム領域ＬＰ側へと落下しやすくなるようにしている。
【００３７】
本実施の形態に係る高速増殖炉用燃料集合体１では、少なくとも最外周層には全てブランケット燃料棒３を配置する。更に、最外周層の燃料棒配置位置の数よりもブランケット燃料棒３の本数が多く、最外周層に配置されきれなかったブランケット燃料棒３については、最外周側から優先的に配置するようにする。図１に示す図は、最外周側２層に、ブランケット燃料棒３を配置した例である。
【００３８】
ブランケット燃料棒３を配置しない場所には、タイプ１炉心燃料棒４（＃１）およびタイプ２炉心燃料棒４（＃２）のうちの何れかのタイプの炉心燃料棒４を配置するが、集合体の中心側にタイプ２炉心燃料棒４（＃２）を配置する。
【００３９】
次に、以上のように構成した本実施の形態に係る高速増殖炉用燃料集合体の作用について説明する。
【００４０】
図３は、上述したような本実施の形態に係る高速増殖炉用燃料集合体を装荷して構成される炉心の一例を示す断面図である。
【００４１】
すなわち、炉心６は、断面が正六角形状をしている複数の高速増殖炉用燃料集合体１を、稠密に二次元的に装荷して構成される。
【００４２】
本実施の形態に係る高速増殖炉用燃料集合体１は、少なくとも最外周層は全てブランケット燃料棒３が配置されているので、このような高速増殖炉用燃料集合体１が稠密に装荷されてなる炉心６では、図３に示すように、隣接する高速増殖炉用燃料集合体１同士でブランケット燃料棒３が配置された領域が結合された広いブランケット燃料領域７が形成される。
【００４３】
このようにブランケット燃料領域７が形成されたことによって、各高速増殖炉用燃料集合体１においてタイプ１炉心燃料棒４（＃１）およびタイプ２炉心燃料棒４（＃２）が配置された領域である炉心燃料領域８は、結合することはない。すなわち、隣接する高速増殖炉用燃料集合体１同士であっても、おのおのの炉心燃料領域８は、空間的に隔離されて配置される。
【００４４】
このように構成された炉心６において、仮に万が一、燃料ペレット２２が溶融するような事象が発生した場合について説明する。
【００４５】
炉心６において生じている核分裂は、そのほとんどが核分裂性物質が多く含まれているタイプ１炉心燃料棒４（＃１）およびタイプ２炉心燃料棒４（＃２）の炉心燃料領域８において生じている。一方、核分裂性物質がほとんど含まれていないブランケット燃料棒３からなるブランケット燃料領域７では核分裂の発生が少ない。
【００４６】
したがって、タイプ１炉心燃料棒４（＃１）およびタイプ２炉心燃料棒４（＃２）の温度は、ブランケット燃料棒３の温度よりも高くなる。すなわち、燃料ペレット２２が溶融する事象が発生した場合には、先ずタイプ１炉心燃料棒４（＃１）およびタイプ２炉心燃料棒４（＃２）の炉心燃料領域Ｆに装填されている燃料ペレット２２の溶融が生じる。
【００４７】
炉心燃料領域Ｆに装填されている燃料ペレット２２が溶融すると、タイプ２炉心燃料棒４（＃２）の場合には、図４に示すように、溶融した燃料ペレット２２が下部プレナム領域ＬＰ側へ落下する。一方、タイプ１炉心燃料棒４（＃１）の場合には、炉心燃料領域Ｆの下部にブランケット燃料領域Ｎが設けられている。ブランケット燃料領域Ｎでは核分裂が少なく、温度も低いので溶融する可能性は低い。したがって、タイプ１炉心燃料棒４（＃１）の場合、炉心燃料領域Ｆに装荷された燃料ペレット２２が溶融した場合、この溶融した燃料ペレット２２は、そのまま炉心燃料領域Ｆあるいは下部ブランケット燃料領域Ｎの領域内に保持される可能性が高い。
【００４８】
このように、燃料ペレット２２の溶融が生じた場合には、タイプ１炉心燃料棒４（＃１）の場合、溶融した燃料ペレット２２が炉心燃料領域Ｆあるいは下部ブランケット燃料領域Ｎの領域内に保持される一方、タイプ２炉心燃料棒４（＃２）の場合、溶融した燃料ペレット２２が下部プレナム領域ＬＰ側に落下する。これによって、炉心６内で、核分裂性物質が軸方向に分散され、炉心６の実効増倍率の低下が図られる。
【００４９】
更に、タイプ２炉心燃料棒４（＃２）において、溶融した燃料ペレット２２が下部プレナム領域ＬＰ側に落下すると、ブランケット燃料棒３の下部側に設けられた中性子吸収材領域Ａに装填された中性子吸収材によって、下部プレナム領域ＬＰに落下した燃料ペレット２２から放出される中性子が効率よく吸収されるようになるために、炉心６の実効増倍率の更なる低下が図られる。
【００５０】
一方、炉心６の径方向に関しては、各高速増殖炉用燃料集合体１においてタイプ１炉心燃料棒４（＃１）およびタイプ２炉心燃料棒４（＃２）が配置された領域である炉心燃料領域８は、図３に示すように、ブランケット燃料領域７によって空間的に隔離されている。ブランケット燃料領域７に装填されているブランケット燃料では、核分裂が少なく、温度が低いために燃料ペレット２２が溶融する可能性は低い。
【００５１】
したがって、仮に万が一、炉心燃料領域８の核分裂性物質が多く含まれた燃料ペレット２２が溶融した場合であっても、ブランケット燃料領域７がバウンダリとなることによって、隣接する高速増殖炉用燃料集合体１の炉心燃料領域８と結合することはない。すなわち、隣接する高速増殖炉用燃料集合体１同士で、燃料ペレット２２が溶融した領域が連結し、広い溶融燃料領域を形成するようなことはない。この効果は、ブランケット燃料棒３の外径を、タイプ１炉心燃料棒４（＃１）およびタイプ２炉心燃料棒４（＃２）の外径よりも太径とすることによって更に高められる。
【００５２】
上述したように、本実施の形態に係る高速増殖炉用燃料集合体においては、上記のような作用により、仮に万が一、燃料ペレット２２が溶融するような事象が発生した場合であっても、先ずタイプ２炉心燃料棒４（＃２）の炉心燃料領域Ｆにおける溶融ペレットが下部プレナム領域ＬＰ側に落下することにより、核分裂性物質が軸方向で分散され、炉心６の実効増倍率を低下させることができる。
【００５３】
更に、下部プレナム領域ＬＰに落下した燃料ペレット２２から放出される中性子が効率よく中性子吸収材領域Ａに装填された中性子吸収材によって吸収されることによって、炉心６の実効増倍率を更に低下させることができる。
【００５４】
また、本実施の形態に係る高速増殖炉用燃料集合体１では、少なくとも最外周にはブランケット燃料棒３が配置されているので、このような高速増殖炉用燃料集合体１が稠密装荷されてなる炉心６では、隣接する高速増殖炉用燃料集合体１同士でブランケット燃料棒３が配置された領域が結合された広いブランケット燃料領域７を形成することができる。このブランケット燃料領域７がバウンダリとなることによって、炉心燃料領域８を高速増殖炉用燃料集合体１毎に隔離することができるので、仮に万が一、炉心燃料領域８の燃料ペレット２２が溶融した場合であっても、隣接する炉心燃料領域８で溶融した燃料ペレット２２と物理的に結合するようなことはない。
【００５５】
したがって、本実施の形態に係る高速増殖炉用燃料集合体１は、仮に万が一、燃料ペレット２２が溶融するような事象が発生した場合であっても、燃料ペレット２２が溶融した領域が連結することを阻止し、溶融した核燃料物質による再臨界を阻止することが可能となる。
【００５６】
（第２の実施の形態）
本発明の第２の実施の形態を図５および図６を用いて説明する。
【００５７】
図５は、第２の実施の形態に係る高速増殖炉用燃料集合体の各燃料棒の長尺方向における構成例を示す概念図であり、図２と同一部分には同一符号を付してその説明を省略し、ここでは異なる部分についてのみ述べる。
【００５８】
すなわち、本実施の形態に係る高速増殖炉用燃料集合体は、図５に示すように、タイプ２炉心燃料棒４（＃２）の下部プレナム領域ＬＰの下部側の一部を、中性子吸収材領域Ａとした点のみが第１の実施の形態と異なる。この中性子吸収材領域Ａの長さは、タイプ１炉心燃料棒４（＃１）の炉心燃料領域Ｆの上下側にそれぞれ備えられているブランケット燃料領域Ｎの長さ未満とする。
【００５９】
そもそも図２に示すような第１の実施の形態の場合、タイプ２炉心燃料棒４（＃２）はブランケット燃料領域Ｎを備えていない分、タイプ１炉心燃料棒４（＃１）よりもプレナム体積には余裕がある。この余裕分を、中性子吸収材領域Ａに振り分けたのが本実施の形態に係る高速増殖炉用燃料集合体のタイプ２炉心燃料棒４（＃２）である。
【００６０】
すなわち、タイプ１炉心燃料棒４（＃１）の炉心燃料領域Ｆの上下側にそれぞれ備えられている両ブランケット燃料領域Ｎの長さの合計を、中性子吸収材領域Ａの長さとした場合には、タイプ１炉心燃料棒４（＃１）とタイプ２炉心燃料棒４（＃２）とのプレナム体積は等しくなる。したがって、中性子吸収材領域Ａの長さは、ＦＰガスによる内圧上昇分を吸収する能力を、タイプ１炉心燃料棒４（＃１）よりも低下させないとの観点から、タイプ１炉心燃料棒４（＃１）の炉心燃料領域Ｆの上下側にそれぞれ備えられているブランケット燃料領域Ｎの合計長さ以下とする。
【００６１】
以上のように構成した本実施の形態に係る高速増殖炉用燃料集合体では、タイプ２炉心燃料棒４（＃２）の下部に中性子吸収材領域Ａが設けられているために、仮に万が一、燃料ペレット２２が溶融する事象が発生すると、図６に示すように、溶融した燃料ペレット２２が中性子吸収材領域Ａ側へと落下する。
【００６２】
これによって、炉心６内で、核分裂性物質が軸方向に分散されることに加えて、落下した燃料ペレット２２から放出される中性子が、ブランケット燃料棒３の中性子吸収材領域Ａに装填された中性子吸収材のみならず、タイプ２炉心燃料棒４（＃２）の中性子吸収材領域Ａに装填された中性子吸収材によっても吸収されるという新たな効果が奏される。
【００６３】
したがって、本実施の形態に係る高速増殖炉用燃料集合体が装荷されてなる炉心は、上記のような作用により、第１の実施の形態に係る高速増殖炉用燃料集合体が装荷されてなる炉心よりも、燃料ペレット２２の溶融時における実効増倍率の更なる低下を図ることができるために、より未臨界度を高め、安全性を高めることが可能となる。
【００６４】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００６５】
【発明の効果】
以上説明したように、本発明によれば、仮に万が一、燃料ペレットが溶融するような事象が発生した場合であっても、燃料ペレットが溶融した領域が連結することを阻止することができる。
【００６６】
以上により、仮に万が一、燃料ペレットが溶融するような事象が発生した場合であっても、溶融した核燃料物質による再臨界が生じない高速増殖炉用燃料集合体を実現することが可能となる。
【図面の簡単な説明】
【図１】第１の実施の形態に係る高速増殖炉用燃料集合体の燃料棒配置例を示す１／２斜視断面図
【図２】第１の実施の形態に係る高速増殖炉用燃料集合体の各燃料棒の長尺方向における構成例を示す概念図
【図３】第１の実施の形態に係る高速増殖炉用燃料集合体を装荷して構成される炉心の一例を示す断面図
【図４】第１の実施の形態に係る高速増殖炉用燃料集合体の各燃料棒の長尺方向における構成例を示す概念図（溶融ペレット落下時）
【図５】第２の実施の形態に係る高速増殖炉用燃料集合体の各燃料棒の長尺方向における構成例を示す概念図
【図６】第２の実施の形態に係る高速増殖炉用燃料集合体の各燃料棒の長尺方向における構成例を示す概念図（溶融ペレット落下時）
【図７】六角形状のラッパー管で覆われた高速増殖炉用燃料集合体の斜視図
【図８】ラッパー管を削除した高速増殖炉用燃料集合体の斜視図
【符号の説明】
Ａ…中性子吸収材領域
Ｄ…かしめ
Ｆ…炉心燃料領域
Ｎ…ブランケット燃料領域
ＴＳ…上部端栓
ＢＳ…下部端栓
ＵＰ…上部プレナム領域
ＬＰ…下部プレナム領域
ＳＰ…プレナムスプリング
１，２０，２６…高速増殖炉用燃料集合体
３…ブランケット燃料棒
４…炉心燃料棒
４（＃１）…タイプ１炉心燃料棒
４（＃２）…タイプ２炉心燃料棒
６…炉心
７…ブランケット燃料領域
８…炉心燃料領域
２２…燃料ペレット
２３…燃料棒
２４…ラッパー管
２７…グリッドスペーサ
【図１】
0003778438.tif 000002
【図２】
0003778438.tif 000003
【図３】
0003778438.tif 000004
【図４】
0003778438.tif 000005
【図５】
0003778438.tif 000006
【図６】
0003778438.tif 000007
【図７】
0003778438.tif 000008
【図８】
0003778438.tif 000009